(57)【要約】【課題】遺失物を拾得した際、情報端末管理者側にて拾得者側の協力を元に遺失者（紛失主）を特定して、連絡（通知）することを可能とする技術を提供する。【解決手段】情報端末利用者の連絡先情報を含むカラーコードを情報端末に登録しておき、当該カラーコードを利用して情報端末利用者本人であるか否かを確認し、本人確認できた場合は、情報端末利用者の連絡先にその旨を連絡（通知）し、また、情報端末拾得者側に対して、拾得物の情報端末利用者への受渡し許諾を通知する。【選択図】図１
2016118898.tif 000002
【特許請求の範囲】
【請求項１】
情報端末と、情報端末のディスプレイ画面を読み取る読み取り装置と、情報端末の緊急連絡先装置と、連携して、前記情報端末を遺失し、当該遺失した情報端末を拾得して管理する情報端末拾得物管理システムであって、
前記情報端末の利用者により入力された緊急連絡先情報を登録する手段と、
前記緊急連絡先情報を含むカラーコードを前記情報端末に発行する手段と、
前記情報端末をロックされた状態で遺失したとき、情報端末を拾得した拾得者又は管理保管者により読み取られた前記カラーコードを受信し、当該カラーコードに含まれる緊急連絡先情報と前記登録したカラーコードに含まれる緊急連絡先情報とを照合し、当該遺失した本人か否かを確認する手段と、
前記確認手段により、本人確認が取れた場合、前記拾得者又は管理保管者に対して、その旨を含む情報を通知し、また、前記カラーコードに含まれる緊急連絡先に対して、前記情報端末を拾得して保管していること及び保管場所を含む情報を通知する手段と、
を有する情報端末拾得物管理システム。
【請求項２】
情報端末と、情報端末のディスプレイ画面を読み取る読み取り装置と、情報端末の緊急連絡先装置と、連携して、前記情報端末を遺失し、当該遺失した情報端末を拾得して管理する情報端末拾得物管理システムにおける情報端末拾得物管理方法であって、
前記情報端末の利用者により入力された緊急連絡先情報を登録するステップと、
前記緊急連絡先情報を含むカラーコードを前記情報端末に発行するステップと、
前記情報端末をロックされた状態で遺失したとき、情報端末を拾得した拾得者又は管理保管者により読み取られた前記カラーコードを受信し、当該カラーコードに含まれる緊急連絡先情報と前記登録したカラーコードに含まれる緊急連絡先情報とを照合し、当該遺失した本人か否かを確認するステップと、
前記確認ステップにより、本人確認が取れた場合、前記拾得者又は管理保管者に対して、その旨を含む情報を通知し、また、前記カラーコードに含まれる緊急連絡先に対して、前記情報端末を拾得して保管していること及び保管場所を含む情報を通知するステップと、
を有する情報端末拾得物管理方法。
【発明の詳細な説明】
【技術分野】
【０００１】
本発明は、情報端末拾得物管理システム及び方法に関する。
【背景技術】
【０００２】
携帯電話、スマートフォンやタブレット（多機能携帯端末）といった情報端末は、本人以外の第三者に操作されることを防止するためにロック機能、例えば、画面のパスワードロック機能を有する。このロック機能をオンにした状態で紛失（遺失）した場合、当該情報端末を拾得した者や拾得物を管理する警察などの管理者が情報端末の紛失者本人であることを確認することは難しい。もし、紛失者（遺失者）が警察に紛失届を出している場合、警察は、情報端末に付与されているシリアル番号やアクセサリなどを根拠に質問（照会）して紛失者本人であるか否かの確認を行う方法が一般的である。
【０００３】
また、一方、情報端末を通常利用する利用者は、シリアル番号などは、操作する上で必要ないことから把握していないのが現状である。
【０００４】
本人確認を可能とする方法として、パスワード（パスコード）を教えて、代わりに入力してもらい、ロックを解除（オフ）して、情報端末に登録された情報を確認してもらう方法がある。しかし、この方法は、以下のようなリスクが伴う。つまり、本人確認に必要な情報以外に、不必要な個人情報を第三者に見られる可能性がある。場合によっては入手（漏洩）されてしまう恐れがある。特に、企業などで利用している情報端末を紛失した場合、非常にリスクが高い。
【０００５】
係る技術分野の背景技術として、特開２００６−３１３３８号公報（特許文献１）がある。
この公報には、「遺失物情報を取得する遺失者端末(6)と、拾得物情報を取得する拾得者端末(10)と、遺失物・拾得物管理装置(4)とが、通信回線(5)により接続され、遺失物・拾得物管理装置(4)は、遺失者端末(6)の使用者を認証する認証処理部(16)と、拾得物情報を格納する記憶手段(19)と、遺失物情報に基づいて、拾得物情報を照合し、照合結果の拾得物情報の一覧表示画面を作成する照合部(15)と、拾得物を選択する情報に対応する拾得物情報に含まれる特定情報に対応する質問文を表示する表示画面を作成し、質問文に対する回答情報を受信し、この回答情報と特定情報とを照合する受渡妥当性チェック部(17)とから構成される遺失物・拾得物管理システム。」という記載がある。
【先行技術文献】
【特許文献】
【０００６】
【特許文献１】特開２００６−３１３３８
【発明の概要】
【発明が解決しようとする課題】
【０００７】
特許文献１では、遺失者自身が予め登録された遺失物情報を検索する必要があり、遺失物を拾得した際、情報端末管理者側にて遺失者（紛失主）を特定し、連絡（通知）することまでは考慮されていない。
【０００８】
そこで、本発明では、遺失物を拾得した際、情報端末管理者側にて拾得者側の協力を元に遺失者（紛失主）を特定して、連絡（通知）することを可能とする技術を提供することを目的とする。
【課題を解決するための手段】
【０００９】
上記課題を解決するために、情報端末利用者の連絡先情報を含むカラーコードを情報端末に登録しておき、当該カラーコードを利用して情報端末利用者本人であるか否かを確認し、本人確認できた場合は、情報端末利用者の連絡先にその旨を連絡（通知）し、また、情報端末拾得者側に対して、拾得物の情報端末利用者への受渡し許諾を通知する仕組みとするものである。
【００１０】
例えば、本願発明の情報端末拾得物管理システムは、
情報端末と、情報端末のディスプレイ画面を読み取る読み取り装置と、情報端末の緊急連絡先装置と、連携して、前記情報端末を遺失し、当該遺失した情報端末を拾得して管理する情報端末拾得物管理システムであって、
前記情報端末の利用者により入力された緊急連絡先情報を登録する手段と、
前記緊急連絡先情報を含むカラーコードを前記情報端末に発行する手段と、
前記情報端末をロックされた状態で遺失したとき、情報端末を拾得した拾得者又は管理保管者により読み取られた前記カラーコードを受信し、当該カラーコードに含まれる緊急連絡先情報と前記登録したカラーコードに含まれる緊急連絡先情報とを照合し、当該遺失した本人か否かを確認する手段と、
前記確認手段により、本人確認が取れた場合、前記拾得者又は管理保管者に対して、その旨を含む情報を通知し、また、前記カラーコードに含まれる緊急連絡先に対して、前記情報端末を拾得して保管していること及び保管場所を含む情報を通知する手段と、
を有することを特徴とする。
【発明の効果】
【００１１】
本発明によれば、遺失物を拾得した際、拾得者側の協力を元に遺失者（紛失主）を特定して、連絡（通知）することを可能とする技術を提供すること可能である。
また、遺失者や拾得者側の秘密性を担保することが可能である。
上記した以外の課題、構成及び効果は、以下の実施形態の説明により明らかにされる。
【図面の簡単な説明】
【００１２】
【図１】図１は、本発明の情報端末拾得物管理システムの構成を示すブロック図。
【図２】図２は、図１における情報端末利用者側と情報端末管理事業者側との間において、カラーコード事前登録フローを示すフローチャート。
【図３】図３は、図１における情報端末利用者側と情報端末管理事業者側と間において、情報端末紛失時における本人確認のフローを示すフローチャート。
【図４】図４は、図１におけるＤＢのカラーコード表の内容を示すテーブル。
【図５】図５は、情報端末のディスプレイ画面の表示内容及び遷移を示す図。
【発明を実施するための形態】
【００１３】
以下、実施例を図面を用いて説明する。
【実施例１】
【００１４】
図１は、本発明の情報端末拾得物管理システムの構成を示すブロック図である。
【００１５】
同図において、情報端末１０は、通信機能、表示機能（ディスプレイ画面）、操作機能（数字、文字入力など）を有し、利用者が携帯する機器である。例えば、スマートフォンやタブレット（多機能携帯端末）からなり、操作部１１、表示部１２、通信部１３、制御部１４、などを有する。
【００１６】
操作部１１は、情報端末１０を起動するキー、数字や文字を入力するテンキー、カーソルキー及びメールや電話などの通信を操作するキーなどの操作キーを有する。
【００１７】
表示部１２は、ロック画面にカラーコードなどを表示する機能を有する。例えば、情報端末１０をロック状態にセットしたとき、ロック画面（図５参照）を表示する。このとき、ロック画面上のスライドバーをタッチするなどの操作をしたとき、例えば、図５に示す如く、ロック状態を解除するためのパスワード入力画面及びカラーコード画面を表示する。
【００１８】
本実施例では、ロック画面上のスライドバーを操作したとき、ロック画面上にパスワード入力画面及びカラーコード画面を表示するものであるが、これらの表示は、例えば、情報端末１０を起動したとき、表示部１２のロック画面上に直接重ねて表示するようにしてもよい。
【００１９】
通信部１３は、電話やメール、各種情報を通信する機能を有する。
制御部１４は、情報端末１０の表示部１２にカラーコード画面を表示し、また、内部に格納されたプログラムに従って各部１１〜１３の動作を制御する。
【００２０】
落とし主緊急連絡先側装置２０は、情報端末１０を利用する利用者（所有者）の緊急連絡先側に設置される装置である。例えば、情報端末１０取得した利用者により指定された連絡先情報に基づく端末であり、メールや電話などの機能を有する機器であればよい。
【００２１】
拾得物管理者側装置５０は、遺失した情報機器を拾得して管理する拾得物管理者側、例えば、警察署などに設置されるものであり、カラーコード読取部５１、通信部５２、表示部５３、ＧＰＳ５４、などを有する。例えば、スマートフォンからなり、カメラにコードをかざすと、名前や緊急連先などの情報が画面に表示される仕組みである。
【００２２】
カラーコード読取部５１は、例えば、カメラコード画面を撮影するカメラ部からなる。
【００２３】
通信部５２は、既存の電話やメールなどの通信を行う他、カメラ部からのカラーコード画面を通信する機能を有する。
【００２４】
表示部５３は、拾得した拾得者から遺失した情報端末を受け付けたとき、例えば、カラーコード読取部５１による読み取ったとき、その受け付けを完了した旨のメッセージを表示する。
【００２５】
ＧＰＳ５４は、カメラ部によりカラーコードを読み取った（撮影した）とき、当該カラーコード画面を撮影した位置、例えば、情報端末を保管している場所（警察所在地など）を特定する位置情報を出力し、カラーコード画面に付加する。
【００２６】
制御部５５は、情報端末１０のカラーコード画面を撮影し、当該カラーコード画面を、ネットワーク４０を介して情報端末管理システム３０に送信するように制御するものであって、内部に格納されたプログラムに従って各部の動作を制御する。
【００２７】
情報端末管理システム３０は、端末管理事業者側に配置されるものであり、例えば、サーバからなる。サーバは、通信装置３１、記憶装置３２、入出力装置３３、画像処理装置３４、制御装置３５、などを有する。
【００２８】
通信装置３１は、情報端末１０と情報端末管理システム３０との間、及び拾得物管理者側装置５０と情報端末管理システム３０との間の通信を行う装置である。
【００２９】
記憶装置３２は、緊急連絡先／カラーコード対応テーブル３２１２を記憶するデータベース３２１を有する。テーブルには、情報端末を利用する利用者名３２１１、緊急連絡先３２１２、カラーコード３２１３、カラーコード読み取り位置（撮影場所、時間）３２１４、などの情報を有する（図４参照）。
【００３０】
入出力装置３３は、情報機器をロック状態にセットしたとき、ロック画面を表示し、当該ロック画面にカラーコード読取装置により読取ったカラーコード画像を表示する表示部（ディスプレイ）を有する。
【００３１】
画像処理装置３４は、緊急連絡先情報ｅを受信してカラーコードｃを生成（緊急連絡先情報をカラーコードに変換）する機能を有する。
【００３２】
制御装置３５は、各装置の動作制御を司り、内部に格納されたプログラムに従って上記の各装置（各部）の動作を制御する。
【００３３】
図２は、カラーコード事前登録処理フローを示すフローチャートである。図２のフローチャートに基づく動作は以下のとおりである。
【００３４】
ステップ１０３０：情報端末利用者は、情報端末１０を購入又はレンタルしたとき、情報端末管理事業者との間で、購入又はレンタル契約を締結し、ステップ１０１にて情報端末１０を取得する。
【００３５】
ステップ１０２：情報端末利用者は、購入又はレンタルしたとき、例えば、当該情報端末１０から緊急連絡先情報を入力し、当該緊急連絡先情報ｅを情報端末管理事業者システム３０に対して送信し、申請（登録）する。緊急連絡先情報ｅは、例えば、端末所有者を示す利用者名、メールアドレス、電話番号、などを含む。
【００３６】
ステップ３０１：情報端末管理事業者システム３０は、情報端末１０側から送信された緊急連絡先情報ｅを記憶装置３２のデータベースに登録する。
【００３７】
ステップ３０２：情報端末管理事業者システム３０は、緊急連絡先情報ｅを受け、当該緊急連絡先に対応するカラーコードｃを生成（緊急連絡先情報をカラーコードに変換）する。
【００３８】
ステップ３０３：情報端末管理事業者システム３０は、次いで、緊急連絡先情報ｅを含むカラーコードを発行し、情報端末１０側に送信する。
【００３９】
ステップ１０３：情報端末１０は、発行されたカラーコードを受信する。
【００４０】
ステップ１０４：情報端末１０は、例えば、端末起動時、受信したカラーコードをロック画面に表示する。
【００４１】
図３は、情報端末遺失時における紛失した情報端末の受け取り処理フローを示すフローチャートである。図３のフローチャートに基づく動作は以下のとおりである。
【００４２】
ステップ５０１：拾得物管理者は、遺失した情報端末を拾得した者より落し物届けを受け付ける。
【００４３】
ステップ５０２：拾得物管理者側装置５０は、管理者により、情報端末１０に表示されたカラーコード画面をカメラ部５１により撮影し、位置情報を付与する。つまり、カラーコード画面を読み取る。
【００４４】
ステップ５０３：読み取ったカラーコード画面を、情報端末管理事業者側における情報端末管理システム３０に対して送信し、当該カラーコード画面をもって遺失者（紛失者）の照会を依頼する。このとき、カラーコード画面と共に当該拾得物を管理している場所を示す情報を付加して送信する。拾得物を管理している場所を示す情報としては、例えば、ＧＰＳによる位置情報を利用するとよい。
【００４５】
ステップ５０４：情報端末管理システム５０は、カラーコード画面を受信する。そして、当該カラーコード画面の情報を元に記憶装置データベースを検索し、当該カラーコードに対応する緊急連絡先情報ｅを抽出する。
【００４６】
ステップ５０５：情報端末管理システム３０は、情報端末管理事業者側からのカラーコードｃとデータベースにおける緊急連絡先情報ｅとを照合し、カラーコードｃに対応する緊急連絡先情報ｅがあるいか否かを判定する。つまり、カラーコードと緊急連絡先情報を元に情報端末１０の使用者本人を確認する。
【００４７】
ステップ５０６：情報端末管理システム３０は、ステップ５０５における本人確認結果を拾得物管理者側装置５０に対して通知する。この通知は、例えば、メールなどにより行う。すなわち、ステップ５０５により、本人確認ができた場合（ＹＥＳ）には、拾得物管理者側装置５０に対して本人確認ＯＫである旨と併せて、緊急連絡先情報ｅの中から、当該本人を証明するに足りる情報、例えば、利用者名などを通知する。本人確認ができなかった場合（ＮＯ）には、拾得物管理者側装置５０に対して本人確認ＮＧである旨を通知する。
【００４８】
ステップ５０６：拾得物管理者側装置５０は、情報端末管理システム３０からの本人確認結果を受け、当該結果をもって情報端末受渡可否を判断する。
【００４９】
ステップ５０７：拾得物管理者側装置５０は、ステップにより情報端末受渡可の場合には、緊急連絡先装置１０’に対して拾得物を管理保管している旨を通知する。この通知は、例えば、メールなどにより行う。
【００５０】
ステップ５０８：拾得物管理者側装置５０は、ステップ５０７における通知に基づき情報端末１０の利用者が拾得物の受け取りに出向いてきたときには、例えば、免許証等で身元確認を行うなどして拾得情報端末１０を受け渡す。
【００５１】
図４は、緊急連絡先／カラーコード対応の一例を示すテーブル図である。テーブル３２２０は、情報端末１０の利用者名３２１１、緊急連絡先（メールアドレス、電話番号等）３２１２、カラーコード（１６進数）３２１３、拾得物管理元（位置情報）３２１４、などを有する。
【００５２】
図５は、情報端末１０をロック状態にセットしたときにおけるロック画面及びロック状態を解除したときにおけるロック解除画面への遷移を示す図である。
【００５３】
ロック画面１２には、スライドバー１２１を表示し、当該スライドバーを操作すると、パスワード（パスコード）入力画面１２２の他、カラーコード画面１２３を表示する。カラーコード画面１２３は、情報端末１０を起動したとき、直接ロック画面１２に表示するようにしてもよい。
【００５４】
利用者本人が扱う場合はパスコードを入力して画面のロックを解除すれば通常通り使える。
【００５５】
利用者以外（例えば拾得物を管理する警察など）がロック解除画面を出した場合、画面に表示されるカラーコードを読み取って、利用者の連絡先等を表示するようにする。
【００５６】
カラーコードは、一部の管理者（携帯販売会社や警察など）が管理する。連絡先は会社の電話番号、利用者名などを表示する。ロック画面は通常通り壁紙などを表示できるようにしておくとよい。また、カラーコードは、カメレオンコードを含めてカラーコードとするものである。
【００５７】
以上述べたように、警察などで情報端末１０の拾得物を受け付けた際、カラーコードを読み取ることで、落とし主からの連絡を待たずに落とし主を特定して連絡できる。
カラーコードの管理は事業者や警察といった秘密性を保てるところで管理することにより、不必要な個人情報の流出を防ぐことができる。
ＣＥや営業担当者が情報端末１０を紛失した際、通常はデータ消去処理などをして使えなくして再度レンタルする必要があるが、この技術を導入することで落とした情報端末が見つかる可能性が高まり、不要な出費（違約金等）を抑える事ができる。
カラーコードは、色や配列で情報を表現するものである。ＱＲコード（登録商標）（二次元バーコード）に比べて約５０倍の距離から認識が可能である。
カラーコードは、赤、青、黄など色の配列で情報を表示する仕組み。それぞれの点が“色”という情報を持っているため、それらを組み合わせたコードは、白黒のバーコードやＱＲコードに比べより多くの情報を盛り込める。
【００５８】
なお、本発明は上述した実施例に限定されるものではなく、様々な変形例が含まれる。例えば、上述した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒａｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５９】
１０・・・情報端末、２０・・・落とし主緊急連絡先側装置、３０・・・情報端末管理システム、４０・・・ネットワーク、５０・・・拾得物管理者側装置、３５・・・制御装置、３２・・・記憶装置。
【図１】
2016118898.tif 000003
【図２】
2016118898.tif 000004
【図３】
2016118898.tif 000005
【図４】
2016118898.tif 000006
【図５】
2016118898.tif 000007